(57)【特許請求の範囲】
【請求項１】
枠と、嵌め殺し障子とを備え、枠は上枠と下枠と左右の竪枠を有し、上枠は嵌め殺し障子の上端部を呑み込む呑み込み溝を有し、上枠の呑み込み溝の室外側溝壁には嵌め殺し障子の上端部の室外側面に当接するタイト材が設けてあり、下枠は嵌め殺し障子の下端部を呑み込む呑み込み溝を有し、下枠の呑み込み溝の室外側溝壁には嵌め殺し障子の下端部の室外側面に当接するタイト材が設けてあり、左右の竪枠は各々室外側で内周側に突設した突設部と、突設部の室内側で見込み面の上下方向中間部に設けた係合部とを有し、竪枠の突設部の室内側面にはタイト材が設けてあり、嵌め殺し障子の竪框は各々見込み面の上下方向中間部に被係合部を有し、嵌め殺し障子をけんどん方式で枠に組み込んだときに、嵌め殺し障子の各被係合部が各々竪枠の係合部を乗り越えると共に竪框がタイト材を介して竪枠の突設部に当接して、枠内に嵌め殺し障子を固定していることを特徴とする嵌め殺しサッシ。
【発明の詳細な説明】
【技術分野】
【０００１】
本発明は、嵌め殺しサッシに関する。
【背景技術】
【０００２】
特許文献１には、嵌め殺し障子の周囲部を上下左右の枠に当接させて配置し、押縁を上下左右の枠に係止して嵌め殺し障子を枠に固定することが開示されている。
また、嵌め殺し障子をけんどん方式で枠に取付けて、ねじ等で枠に固定することが公知である（公知技術１）。
【先行技術文献】
【特許文献】
【０００３】
【特許文献１】特開２００５−１４６５１０号公報
【発明の概要】
【発明が解決しようとする課題】
【０００４】
しかし、特許文献１の嵌め殺しサッシは、上下左右の枠に各々押縁を取付けて嵌め殺し障子を枠に固定するものであるから、嵌め殺し障子の取付けに手間がかかるという問題がある。
公知技術１では、例えば、二重サッシにおいて内窓と外窓との間の清掃やメンテナンスの為に嵌め殺し障子を脱着するが、嵌め殺し障子の脱着に手間がかかるという問題がある。これに対して、嵌め殺し障子にグレモンロック装置を設けて嵌め殺し障子を脱着自在に枠に固定することが考えられるが、構造が複雑になると共に高価になるという不都合がある。
【０００５】
そこで、本発明は、嵌め殺し障子を簡単に枠に固定できると共に脱着自在な嵌め殺しサッシの提供を目的とする。
【課題を解決するための手段】
【０００６】
請求項１に記載の発明は、枠と、嵌め殺し障子とを備え、枠は上枠と下枠と左右の竪枠を有し、上枠は嵌め殺し障子の上端部を呑み込む呑み込み溝を有し、上枠の呑み込み溝の室外側溝壁には嵌め殺し障子の上端部の室外側面に当接するタイト材が設けてあり、下枠は嵌め殺し障子の下端部を呑み込む呑み込み溝を有し、下枠の呑み込み溝の室外側溝壁には嵌め殺し障子の下端部の室外側面に当接するタイト材が設けてあり、左右の竪枠は各々室外側で内周側に突設した突設部と、突設部の室内側で見込み面の上下方向中間部に設けた係合部とを有し、竪枠の突設部の室内側面にはタイト材が設けてあり、嵌め殺し障子の竪框は各々見込み面の上下方向中間部に被係合部を有し、嵌め殺し障子をけんどん方式で枠に組み込んだときに、嵌め殺し障子の各被係合部が各々竪枠の係合部を乗り越えると共に竪框がタイト材を介して竪枠の突設部に当接して、枠内に嵌め殺し障子を固定していることを特徴とする嵌め殺しサッシである。
【発明の効果】
【０００７】
請求項１に記載の発明によれば、けんどん方式で嵌め殺し障子を枠に固定できるので、嵌め殺し障子の固定が簡単である。
嵌め殺し障子はけんどん方式で枠に組み込んだときに、嵌め殺し障子の竪框と竪枠とを係合により固定しているので、嵌め殺し障子を取外すときにはけんどん方式で外すことができ、嵌め殺し障子の脱着が自在である。しかも、竪枠に係合部を設け、嵌め殺し障子の竪框に被係合部を設けるだけであるから、安価であると共に構成も簡易である。
枠の係合部と嵌め殺し障子の被係合部とは嵌め殺し障子の上下方向中間部で係合する構成であるから、障子の上下方向の反りが防止できる。
【図面の簡単な説明】
【０００８】
【図１】本発明の実施の形態に係る嵌め殺しサッシの図であり、（ａ）は嵌め殺しサッシの横断面図であり、（ｂ）は（ａ）で示すＡ部の拡大図であり、（ｃ）は（ａ）に示す竪枠の一部を枠の内周側から見た側面図である。
【図２】本発明の実施の形態にかかる嵌め殺しサッシの縦断面図である。
【図３】障子に固定する係合部材の図であり、（ａ）は正面図であり、（ｂ）は側面図であり、（ｃ）は底面図である。
【図４】本実施の形態に係る嵌め殺しサッシを室内側から見た正面図である。
【発明を実施するための形態】
【０００９】
以下に、添付図面を参照して本発明の実施の形態を説明する。
図１（ａ）及び図２に示すように、本実施の形態に係る嵌め殺しサッシ１は、二重窓の内窓である。
嵌め殺しサッシ１は、枠３と、嵌め殺し障子５とを備えており、枠３は上枠７と下枠９と左右の竪枠１１、１１とから構成されている。
図２に示すように、上枠７には嵌め殺し障子５の上框（上端部）５ａを呑み込む呑み込み溝１３が設けてあり、この呑み込み溝１３は、嵌め殺し障子５をけんどん方式で取付ける為の深さを有している。呑み込み溝１３の室外側溝壁１３ａには溝の開口部にタイト材１５が取付けてあり、タイト材１５の先端は溝内に位置して、タイト材１５が呑み込み溝１３内で上框５ａの室外側面に当接している。
下枠９には、嵌め殺し障子５の下框（下端部）５ｂを呑み込む呑み込み溝１７が設けてあり、この呑み込み溝１７の室外側溝壁１７ａにも、溝の開口部にタイト材１５が取付けてあり、タイト材１５の先端は呑み込み溝１７内に位置して、タイト材１５が呑み込み溝１７内で下框（下端部）５ｂの室外側面に当接している。
【００１０】
図１（ｂ）に示すように、左右の竪枠１１、１１の室外側には、内周側に突設した突設部１９が設けてあり、嵌め殺し障子５の竪框（左右側部）２１の室外側面を受けている。竪枠１１の突設部１９には室内側面にタイト材２３が設けてあり、嵌め殺し障子５の竪框２１の室外側面に当接している。
図１（ｂ）及び（ｃ）に示すように、左右の竪枠１１の見込み面には、上下方向の略中央部に係合部材（係合部）２５が固定されている。尚、図３に示すように、竪枠１１には上下位置に合計２つの嵌合孔２７、２９が形成されており、係合部材２５は上下の２つの嵌合孔２７、２９に嵌合することにより固定している。
係合部材２５は、図１（ｃ）及び図３に示すように、正面が上下方向に長い長方形状をしており、裏面の上下位置にねじ止め突部３１と嵌合突部３３が形成されている。図３に示すように、ねじ止め突部３１は、ねじ固定部３２の裏面に位置し、図１（ｂ）に示すように、ねじ止め突部３１のねじ孔３５にねじ３７をねじ込むとねじ止め突部３１の先端部が押し広げられて上嵌合孔２７の孔径よりも大きくなって、竪枠１１に固定される。
【００１１】
嵌め殺し障子５には、竪框２１の見込み面に被係合部材（被係合部）３９が固定されている。被係部材３９は、図３に示す係合部材２５と同種のものであり、係合部材２５の上下を逆にして固定してあり、即ち、係合部材２５のねじ固定部３２を下にして、竪框２１に形成してある上下の嵌合孔に固定している。即ち、図１（ｃ）に示すように、被係合部材３９は上部に位置する嵌合突部３３を竪框２１に形成してある嵌合孔に嵌めこみ、下部に位置するねじ止め突部３１を嵌合孔に嵌めて、ねじ固定部３２でねじ止め突部３１にねじ３７をねじ込んでねじ止め突部３１を押し広げることにより竪框２１に固定してある。
【００１２】
ここで、係合部材２５と被係合部材３９との位置関係について説明する。図１（ｃ）に示すように、係合部材２５は上部にねじ固定部３２があり、被係合部材３９は下部にねじ固定部３２があり、係合部材２５のねじ固定部３２と被係合部材３９のねじ固定部３２とが係合するようになっている。
また、被係合部材３９は係合部材２５よりも室外側に位置していると共に係合部材２５の上端と、被係合部材３９の下端との間隔は寸法Ｍを有しており、嵌め殺し障子５をけんどん方式により枠３に取り付けるときに、係合部材２５に対して寸法Ｍだけ被係合部３９が上になるように嵌め殺し障子５を持ち上げれば、被係合部材３９が係合部２５を越えて室外側に位置して係合部材２５に係合することができる。
図２に示すように、嵌め殺し障子５の左右の竪框２１、２１の室内側面には上下方向略中に取手４１が設けてあり、係合部２５及び被係合部３９は取手４１の上下方向略中間の位置に設けられている。
【００１３】
次に、本実施の形態にかかる嵌め殺しサッシにおける嵌め殺し障子５の取付け方法及び作用及び効果について説明する。
嵌め殺し障子５を取付けるときには、嵌め殺し障子５の取手４１をもって、嵌め殺し障子５の上端部を上枠７の呑み込み溝１３に室内側から挿入するように障子５を持ち上げてけんどん方式で枠３に装着する。
嵌め殺し障子５を持ち上げるときには、嵌め殺し障子の被係合部材３９の下端が竪枠１１に固定してある係合部材２５の上端を越えるように上方に持ち上げて、被係合部３９を係合部２５よりも室外側に位置させてから、嵌め殺し障子を下げる。これにより、図１（ｂ）（ｃ）に示すように、嵌め殺し障子５に固定した被係合部材３９が竪枠１１に固定した係合部材２５の室外側で係合部材２５に係合する。
【００１４】
本実施の形態によれば、嵌め殺し障子５をけんどん方式で枠３に固定できるので、嵌め殺し障子５の固定が簡単である。また、嵌め殺し障子５を枠３から外すときにもけんどん方式で簡単に外すことができる。
竪枠１１に固定した係合部材２５と嵌め殺し障子５に固定した被係合部材３９とは嵌め殺し障子５の上下方向中間部で係合する構成であるから、障子５の上下方向の反りが防止できる。
【００１５】
係合部材２５の上部にあるねじ固定部３２と、被係合部材３９の下部にあるねじ固定部３２とが互いに係合するようにしているので、嵌め殺し障子５をけんどんするときに係合部２５と被係合部材３９がぶつかった場合でも係合部材２５や被係合部材３９に回転モーメントが生じ難い。したがって、係合部材２５や被係合部材３９の位置がずれるのを防止できる。
また、係合部材２５は竪枠１１に設けてある嵌合孔２７、２９にねじ止め突部３１と嵌合突部３３とを嵌合して取付けてあり、被係合部材３９も竪框２１に設けてある嵌合孔に嵌合して取付けるから、係合部材２５及び被係合部材３９が容易に取付けできる。
係合部材２５及び被係合部材３９は各々、２つの嵌合突部３１、３３を嵌合して取付けているから、けんどん方式によりは嵌め殺し障子５を枠３に脱着するときに係合部材２５と被係合部材３９とがぶつかったときに、係合部材２５や被係合部材３９が回転して位置を変えるのを防止できる。
図１（ｃ）に示すように、係合部材２５の上部と被係合部材３９の下部とを係合するようにしているので、嵌め殺し障子５をけんどんするときの持ち上げ寸法は、嵌め殺し障子５の固定位置よりも寸法Ｍだけあれば良いので、上枠７の呑み込み溝１３の深さを大きくしないで済み且つ嵌め殺し障子５をけんどんするときの持ち上げ寸法を少なくすることができる。
【００１６】
係合部材２５は嵌合突部３３を竪枠１１に嵌合してねじ止め突部３１をねじ３７で止めており、同様に被係合部材３９も嵌合突部３３を竪框２１に嵌合してねじ止め突部３１をねじ３７で止めしているので、係合部材２５及び被係合部材３９をねじ３７で止めるときにこれらの部材の回転を防止でき、取り付け易い。
係合部材２５と被係合部材３９とは、同種の部品を用いているので、部品種類を少なくできる。
係合部材２５と被係合部材３９とは嵌め殺し障子５の上下方向中間部に位置しているから、嵌め殺し障子５の上下方向中間部が室内側に突出するような上下方向の反りがあり、係合部材２５が被係合部材３９の室外側にうまく位置しない場合には、嵌め殺し障子５の取手４１を持って嵌め殺し障子５を室外側に押し付けることにより反りを矯正した状態にして係合部材２５の室外側に被係合部３９を位置させることができる。
【００１７】
本発明は、上述した実施の形態に限らず、本発明の要旨を逸脱しない範囲で種々変形可能である。
例えば、係合部材２５はねじ止め突部３１をねじ３７で押し広げて嵌合孔２７に固定することに限らず、係合部材２５の上部をねじの螺合により竪枠１１に直接固定するものであっても良い。同様に、被係合部材３９も下部をねじの螺合により竪框２１に直接固定するものであっても良い。
係合部材２５にはねじ止め突部３１を設けないで、２つ嵌合突部３３のみを設けて竪枠１１の各嵌合孔２７、２９に嵌合だけで取付け、同様に被係合部材３９も２つの嵌合突部３３のみを設けて竪框２１の嵌合孔に嵌合だけで取付けるものであっても良い。この変形例によれば、係合部材２５及び被係合部材３９は嵌合のみにより容易に取付けできる。また、係合部材２５及び被係合部材３９は複数個所で嵌合しているから、けんどん方式によりは嵌め殺し障子５を枠３に脱着するときに係合部材２５と被係合部材３９とがぶつかったときに、係合部材２５や被係合部材３９が回転して位置を変えるのを防止できる。尚、この変形例では、嵌合突部３３及び嵌合孔２７，２９は各々２つに限らず、３つ、４つ等いくつでも良く、数は制限されない。
竪枠１１と別体の係合部材２５を取付けることに限らず、竪枠１１に一体に突設部を形成したものであっても良い。同様に、嵌め殺し障子５に設けた被係合部３９も嵌め殺し障子に一体に突設部を形成するものであって良い。
【符号の説明】
【００１８】
１      嵌め殺しサッシ
３      枠
５      嵌め殺し障子
７      上枠
１１    竪枠
１３    上枠の呑み込み溝
１７    下枠の呑み込み溝
２１    竪框
２５    係合部材
３２    ねじ固定部（嵌合突部）
２９    嵌合孔
３３    嵌合突部
３７    ねじ
３９    被係合部材
【図１】
0005285169.tif 000002
【図２】
0005285169.tif 000003
【図３】
0005285169.tif 000004
【図４】
0005285169.tif 000005